(57)【要約】【課題】タッチセンサの検出電極に起因する色ずれを軽減できる表示装置を提供する。【解決手段】サブ画素ＰＢ、ＰＲ、ＰＧには発光領域Ｅが設けられている。タッチセンサの検出電極５１は不透明な導電材料で形成され、発光領域Ｅの上方に形成されている電極開口Ｆと、隣り合う２つの発光領域Ｅの間に位置している部分である領域間導体部５１ｍとを有している。電極開口Ｆの内縁とその内側の発光領域Ｅの外縁との間には、平面視において間隔ＭＲｙ、ＭＧｙ、ＭＢｙが設けられる。領域間導体部５１ｍの幅は、2つの発光領域Ｅの外縁の間の距離に応じて定められている。【選択図】図３
2019159355.tif 000002
【特許請求の範囲】
【請求項１】
発光層を含む発光領域有し、互いに異なる色を発光する複数のサブ画素と、
前記複数のサブ画素に亘って形成され、前記発光層よりも上側に形成されている、タッチセンサの電極と、を有し、
前記電極は前記複数の発光領域の上方にそれぞれ形成されている複数の電極開口と、隣り合う２つの発光領域の間に位置している部分である複数の領域間導体部とを有し、
各電極開口の内縁と、その内側に位置する前記発光領域の外縁との間には、平面視において間隔が設けられ、
各領域間導体部の幅は、前記領域間導体部を間に有する２つの前記発光領域の外縁の間の距離に応じて定められている
ことを特徴とする表示装置。
【請求項２】
各電極開口の内縁とその内側の発光領域の外縁との前記間隔は、この発光領域とその隣の発光領域との間の距離に依存することなく定められている
ことを特徴とする請求項１に記載の表示装置。
【請求項３】
前記複数の発光領域は、第１の色で発光する第１発光領域と、第２の色で発光する第２発光領域とを含み、
前記複数の電極開口は、前記第１発光領域の上方に形成されている第１電極開口と、前記第２発光領域の上方に形成されている第２電極開口とを含み、
前記第１発光領域の外縁は、その隣の発光領域の外縁との間に第１の距離（Ｌ１）を有し、
前記第２発光領域の外縁は、その隣の発光領域の外縁との間に、前記第１の距離（Ｌ１）よりも大きい第２の距離（Ｌ２）を有し、
前記第１電極開口の内縁は、平面視において、前記第１発光領域の外縁と間に第１の間隔（Ｍ１）を有し、
前記第２電極開口の内縁は、平面視において、前記第２発光領域の外縁と間に第２の間隔（Ｍ２）を有し、
前記第１の距離に対する前記第１の間隔の比（Ｍ１／Ｌ１）は、前記第２の距離に対する前記第２の間隔の比（Ｍ２／Ｌ２）よりも小さい
ことを特徴とする請求項１に記載の表示装置。
【請求項４】
前記複数の発光領域は、第１の色で発光する第１発光領域と、第２の色で発光する第２発光領域とを含み、
前記複数の電極開口は、前記第１発光領域の上方に形成されている第１電極開口と、前記第２発光領域の上方に形成されている第２電極開口とを含み、
前記第１発光領域の外縁と前記第１電極開口の内縁との間の第１の方向での間隔は、前記第２発光領域の外縁と前記第２電極開口の内縁との間の前記第１の方向での間隔と、実質的に同じである
ことを特徴とする請求項１に記載の表示装置。
【請求項５】
前記第１発光領域の外縁と前記第１電極開口の内縁との間の第２の方向での間隔は、前記第２発光領域の外縁と前記第２電極開口の内縁との間の前記第２の方向での間隔と、実質的に同じである
ことを特徴とする請求項４に記載の表示装置。
【請求項６】
前記複数の発光領域は、第３の色で発光する第３発光領域をさらに含み、
前記複数の電極開口は、前記第３発光領域の上方に形成されている第３電極開口をさらに含み、
前記第１発光領域の外縁と前記第１電極開口の内縁との間の前記第１の方向での前記間隔は、前記第２発光領域の外縁と前記第２電極開口の内縁との間の前記第１の方向での間隔と、前記第３発光領域の外縁と前記第３電極開口の内縁との間の前記第１の方向での間隔は、実質的に同じである
ことを特徴とする請求項４に記載の表示装置。
【請求項７】
各電極開口の形状は、平面視において前記電極開口の内側にある発光領域の形状に対応している
ことを特徴とする請求項１に記載の表示装置。
【請求項８】
前記複数のサブ画素には、複数の画素電極と、前記発光層と、対向電極とが形成され、
前記複数の画素電極と、前記発光層と、前記対向電極は、バリア層によって覆われており、
前記タッチセンサの前記電極は前記バリア層の上側に形成されている
ことを特徴とする請求項１に記載の表示装置。
【請求項９】
前記タッチセンサの前記電極は、検出電極である
ことを特徴とする請求項１から請求項７の何れか１項に記載の表示装置。
【請求項１０】
前記タッチセンサの前記電極は不透明な導電材料で形成される
ことを特徴とする請求項１から請求項８の何れか１項に記載の表示装置。
【請求項１１】
第１発光領域を備える第１サブ画素と、
第１発光領域とは面積が異なる第２発光領域を備える第２サブ画素と、
タッチセンサと、を有し、
前記タッチセンサは、前記第１サブ画素と前記第２サブ画素を覆い、第１発光領域の全域を露出する第１開口と第２発光領域の全域を露出する第２開口とを備える電極を有し、
第１の方向における前記第１発光領域の外縁と前記第１開口の内縁との第１距離は、前記第１の方向における前記第２発光領域の外縁と前記第２開口の内縁との第２距離と略等しい表示装置。
【請求項１２】
前記第１距離は前記第２距離と等しい、
請求項１１に記載の表示装置。
【請求項１３】
前記第１距離と前記第２距離との差は、前記第１距離の１０％以下である、
請求項１１に記載の表示装置。
【請求項１４】
前記第１の方向と交差する第２の方向における、前記第１発光領域の外縁と前記第１開口の内縁との第３距離は、前記第２の方向における、前記第２発光領域の外縁と前記第２開口の内縁との第４距離と略等しい、
請求項１１から請求項１３の何れか１項に記載の表示装置。
【請求項１５】
前記第１サブ画素が発光する色は、前記第２サブ画素が発光する色と異なる、
請求項１１から請求項１４の何れか１項に記載の表示装置。
【発明の詳細な説明】
【技術分野】
【０００１】
タッチセンサを有する表示装置に関する。
【背景技術】
【０００２】
静電容量式のタッチセンサを有する有機ＥＬ表示装置の開発が進められている。タッチセンサは、Ｘ方向に伸びている検出電極と、Ｙ方向に伸びている検出電極とを有している。特許文献１は、透明導電材料である酸化インジウムスズ（ＩＴＯ）で形成されている検出電極を有する表示装置を開示している。特許文献２は、不透明な導電材料で形成されている検出電極を有する表示装置を開示している。この検出電極は直線状であり、線状の電極はサブ画素間を仕切るブラックマトリクスの直下に形成されている。
【先行技術文献】
【特許文献】
【０００３】
【特許文献１】特開２０１０−２８１１５号公報
【特許文献２】特開２０１５−５２７１８号公報
【発明の概要】
【発明が解決しようとする課題】
【０００４】
不透明な導電性材料で形成された線状の検出電極が複数のサブ画素の発光領域の間に形成される構造では、斜めの方向で表示装置を見たときに表示される画像の色が、本来の色とはずれる色ずれの問題が生じやすい。例えば、サブ画素の発光領域と線状の検出電極のレイアウトによっては、例えば、赤画素の発光領域（発光層）から線状の検出電極までの平面視での距離が、緑画素の発光領域（発光層）から線状の検出電極までの平面視での距離よりも小さくなる場合がある。この場合、赤画素の光が検出電極によって遮られ易いので、利用者が斜めの方向で表示装置を見たときに表示される画像においては、緑が本来よりも強くなる。
【０００５】
本発明の目的の一つは、タッチセンサの検出電極に起因する色ずれを軽減できる表示装置を提供することにある。
【課題を解決するための手段】
【０００６】
（１）本発明に係る表示装置の一例は、発光層を含む発光領域有し、互いに異なる色を発光する複数のサブ画素と、前記複数のサブ画素に亘って形成され、前記発光層よりも上側に形成されているタッチセンサの電極と、を有している。前記電極は前記複数の発光領域の上方にそれぞれ形成されている複数の電極開口と、隣り合う２つの発光領域の間に位置している部分である複数の領域間導体部とを有している。各電極開口の内縁と、その内側に位置する前記発光領域の外縁との間には、平面視において間隔が設けられている。各領域間導体部の幅は、前記領域間導体部を間に有する２つの前記発光領域の外縁の間の距離に応じて定められている。この構造によれば、電極開口の内縁と発光領域の外縁との間隔の差（複数のサブ画素の間で「間隔」を比較したときの差）を低減できるので、色ずれを軽減できる。また、領域間導体部の幅が大きくなるので、タッチセンサの電極の電気抵抗を低減できる。
【０００７】
（２）（１）の表示装置において、各電極開口の内縁とその内側の発光領域の外縁との前記間隔は、この発光領域とその隣の発光領域との間の距離に依存することなく定められてもよい。この構造によると、色ずれの発生をより効果的に抑えることができる。
【０００８】
（３）（１）の表示装置において、前記複数の発光領域は、第１の色で発光する第１発光領域と、第２の色で発光する第２発光領域とを含み、前記複数の電極開口は、前記第１発光領域の上方に形成されている第１電極開口と、前記第２発光領域の上方に形成されている第２電極開口とを含み、前記第１発光領域の外縁は、その隣の発光領域の外縁との間に第１の距離（Ｌ１）を有し、前記第２発光領域の外縁は、その隣の発光領域の外縁との間に、前記第１の距離（Ｌ１）よりも大きい第２の距離（Ｌ２）を有し、前記第１電極開口の内縁は、平面視において、前記第１発光領域の外縁と間に第１の間隔（Ｍ１）を有し、前記第２電極開口の内縁は、平面視において、前記第２発光領域の外縁と間に第２の間隔（Ｍ２）を有し、前記第１の距離に対する前記第１の間隔の比（Ｍ１／Ｌ１）は、前記第２の距離に対する前記第２の間隔の比（Ｍ２／Ｌ２）よりも小さくてもよい。この構造によると、色ずれの発生をより効果的に抑えることができる。
【０００９】
（４）（１）の表示装置において、前記複数の発光領域は、第１の色で発光する第１発光領域と、第２の色で発光する第２発光領域とを含み、前記複数の電極開口は、前記第１発光領域の上方に形成されている第１電極開口と、前記第２発光領域の上方に形成されている第２電極開口とを含み、前記第１発光領域の外縁と前記第１電極開口の内縁との間の第１の方向での間隔は、前記第２発光領域の外縁と前記第２電極開口の内縁との間の前記第１の方向での間隔と、実質的に同じであってもよい。この構造によると、表示装置を斜め第１の方向で見たときの色ずれを、効果的に防ぐことができる。
【００１０】
（５）（４）の表示装置において、前記第１発光領域の外縁と前記第１電極開口の内縁との間の第２の方向での間隔は、前記第２発光領域の外縁と前記第２電極開口の内縁との間の前記第２の方向での間隔と、実質的に同じであってもよい。この構造によると、表示装置を斜め第２の方向で見たときの色ずれを、効果的に防ぐことができる。
【００１１】
（６）（４）の表示装置において、前記複数の発光領域は、第３の色で発光する第３発光領域をさらに含み、前記複数の電極開口は、前記第３発光領域の上方に形成されている第３電極開口をさらに含み、前記第１発光領域の外縁と前記第１電極開口の内縁との間の前記第１の方向での前記間隔は、前記第２発光領域の外縁と前記第２電極開口の内縁との間の前記第１の方向での間隔と、前記第３発光領域の外縁と前記第３電極開口の内縁との間の前記第１の方向での間隔は、実質的に同じであってもよい。
【００１２】
（７）（１）の表示装置において、各電極開口の形状は、平面視において前記電極開口の内側にある発光領域の形状に対応してもよい。
【００１３】
（８）（１）の表示装置において、前記複数のサブ画素には、複数の画素電極と、前記発光層と、対向電極とが形成され、前記複数の画素電極と、前記発光層と、前記対向電極は、バリア層によって覆われており、前記タッチセンサの前記電極は前記バリア層の上側に形成されてもよい。この構造によると、発光領域の外縁と電極開口の内縁との間隔を高精度で制御できる。
【００１４】
（９）（１）の表示装置において、前記タッチセンサの前記電極は、検出電極であってもよい。
【００１５】
（１０）（１）の表示装置において、前記タッチセンサの前記電極は不透明な導電材料で形成されてもよい。
【００１６】
（１１）本発明に係る表示装置の他の例は、第１発光領域を備える第１サブ画素と、第１発光領域とは面積が異なる第２発光領域を備える第２サブ画素と、タッチセンサと、を有している。前記タッチセンサは、前記第１サブ画素と前記第２サブ画素を覆い、第１発光領域の全域を露出する第１開口と第２発光領域の全域を露出する第２開口とを備える電極を有し、第１の方向における前記第１発光領域の外縁と前記第１開口の内縁との第１距離は、前記第１の方向における前記第２発光領域の外縁と前記第２開口の内縁との第２距離と略等しい。
【００１７】
（１２）（１１）の表示装置において、前記第１距離は前記第２距離と等しくてもよい。
【００１８】
（１３）（１１）の表示装置において、前記第１距離と前記第２距離との差は、前記第１距離の１０％以下であってもよい。
【００１９】
（１４）（１１）の表示装置において、前記第１の方向と交差する第２の方向における、前記第１発光領域の外縁と前記第１開口の内縁との第３距離は、前記第２の方向における、前記第２発光領域の外縁と前記第２開口の内縁との第４距離と略等しくてもよい。
【００２０】
（１５）（１１）の表示装置において、前記第１サブ画素が発光する色は、前記第２サブ画素が発光する色と異なっていてもよい。
【図面の簡単な説明】
【００２１】
【図１】本発明の実施形態の一例として示す表示装置の平面図である。
【図２】図１に示す領域ＩＩの拡大図であり、タッチセンサを構成する検出電極が示されている。
【図３】図２に示す領域ＩＩＩの拡大図であり、タッチセンサの検出電極が複数のサブ画素に跨がって形成されている様子が示されている。
【図４】図３に示すＩＶ−ＩＶ線での断面図である。
【図５】図４に示す回路層が各サブ画素に有する画素回路の例を示す回路図である。
【図６Ａ】発光領域の配置の変形例を示す図である。
【図６Ｂ】発光領域のサブ画素の配置のさらに別の変形例を示す図である。
【図６Ｃ】発光領域のサブ画素の配置のさらに別の変形例を示す図である。
【図７】色ずれの原因を説明するための断面図である。
【発明を実施するための形態】
【００２２】
以下、本発明の実施形態について説明する。本明細書での開示は本発明の実施形態の一例に過ぎず、発明の主旨を保った範囲での適宜の変更は、本発明の範囲に含まれる。また、図面において示されている各部の幅、厚さ、形状等は一例であり、図面に表れている各部の幅や厚さ、形状等は本発明の範囲を限定するものではない。また、表示装置に形成される積層構造について、本明細書でなされる「第１の層が第２の層の上側に形成されている」との説明は、その意味として、第１の層が第２の層の上側に形成され且つ第２の層に接している形態と、第１の層が第２の層の上側に形成され且つそれらの間に別の第３の層が存在する形態とを包含する。以下の説明では、図１等にある矢印Ｘで示す方向をＸ方向と称し、矢印Ｙで示す方向（Ｘ方向に直交する方向）をＹ方向と称する。
【００２３】
本明細書では、本発明の実施形態にかかる表示装置の一例として、有機材料で形成される発光層を有している有機ＥＬ表示装置１について説明する。本発明は、量子ドットで形成される発光層を有している自発光表示装置に適用されてもよい。
【００２４】
［基板］
表示装置１は基板１０を有している。基板１０には、発光層を含む有機層２２やタッチセンサを構成する検出電極５１ｘ、５１ｙなどを含む積層構造（図４）が形成されている。基板１０は、表記装置１の曲げを可能とする可撓性を有する基板（例えばポリイミドなどの樹脂基板）であってもよいし、そのような可撓性を有していない基板（例えば、ガラス基板）であってもよい。
【００２５】
［サブ画素］
表示装置１は画像を表示する表示領域Ａ１（図１参照）を有している。表示領域Ａ１の全体には画素が形成されている。表示領域Ａ１には、例えば、互いに発光色が異なる３種類のサブ画素（ＰＢ、ＰＲ、ＰＧ）が形成される。表示領域Ａ１には、互いに発光色が異なる４種類のサブ画素が形成されてもよい。この場合、表示領域Ａ１には、サブ画素の１つとして、白画素が形成されてもよい。表示装置１の例では、３色のサブ画素として、青画素ＰＢ、赤画素ＰＲ、及び緑画素ＰＧが形成されている。図３の例では、２つの青画素ＰＢと、１つの赤画素ＰＲと、１つの緑画素ＰＧが１つの画素Ｐｕｎｉを構成している。複数の画素ＰｕｎｉがＸ方向とＹ方向とに並んでいる。１つの画素Ｐｕｎｉに含まれるサブ画素の数や色は、図３の例に限られない。
【００２６】
図４に示すように、各サブ画素には画素電極２１が形成されている。表示装置１は、バンク層２９を有している。バンク層２９は隣り合う２つのサブ画素の間に形成されている。また、バンク層２９には画素電極２１を露出させる開口が形成され、バンク層２９は画素電極２１の外周部に重なっている。画素電極２１の上側に、有機材料によって形成されている発光層を含む有機層２２が形成されている。発光層は、各サブ画素の色で発光する材料で形成されている。例えば、赤画素ＰＲの発光層は赤の光を発する材料で形成され、緑画素ＰＧの発光層は緑の光を発する材料で形成される。従って、隣り合う２つのサブ画素の発光層は、繋がっていない。有機層２２は、発光層に加えて、ホール注入層、ホール輸送層、電子注入層、及び電子輸送層の一部又は全部を含んでいる。ホール注入層などの層は、複数のサブ画素に亘って形成されてもよい。図４に示すように、有機層２２の上側には、対向電極２３が形成されている。対向電極２３は複数のサブ画素に亘って形成されている。対向電極２３は、例えば表示領域Ａ１に形成されている全画素に亘って形成される。表示装置１の例では、画素電極２１はアノードであり、対向電極２３はカソードである。したがって、ホールは画素電極２１から有機層２２に供給され、電子は対向電極２３から有機層２２に供給される。ホールと電子は有機層２２の発光層で再結合する。
【００２７】
各サブ画素は発光層によって構成される発光領域Ｅ（図３及び図４参照）を有している。発光領域Ｅは光が出る領域である。言い換えれば、発光領域Ｅは、画素電極２１と、発光層を含む有機層２２とが接している領域である。図４に示すように、画素電極２１はバンク層２９に形成された開口の内側で有機層２２と接している。したがって、バンク層２９の開口の内側が発光領域Ｅとなっている。図３に示すように、表示装置１の例では、発光領域Ｅは矩形であるが、その形状は正方形や、円形や、楕円形などでもよい。後述するタッチセンサの検出電極５１ｘ、５１ｙには、この発光領域Ｅを露出させる開口（電極開口Ｆ）が形成されている。
【００２８】
［回路層と画素回路］
図４に示すように、基板１０には回路層３０が形成されている。回路層３０には、画素電極２１に供給する電流を制御する回路が形成されている。回路層３０は、各サブ画素に画素回路３１（図５参照）を有する。図５に示すように、画素回路３１は、例えば、複数のＴＦＴ（Ｔｈｉｎ  Ｆｉｌｍ  Ｔｒａｎｓｉｓｔｏｒ）３１ａ，３１ｂや、キャパシタ３１ｃを有している。また、回路層３０には、Ｘ方向に伸びている走査信号線３１Ｂと、Ｙ方向に伸びている映像信号線３１Ｃと、Ｙ方向に伸びている駆動電源線３１Ｄとが形成されている。走査信号線３１ＢはＹ方向に並んでいる複数の画素行のそれぞれに設けられている。映像信号線３１ＣはＸ方向に並んでいる複数の画素列のそれぞれに設けられている。各サブ画素は発光素子２０を有している。発光素子２０は、上述の画素電極２１、有機層２２、及び対向電極２３によって構成される。駆動電源線３１Ｄ及び駆動ＴＦＴ３１ｂを介して発光素子２０に電流が供給される。発光素子２０のアノード（すなわち画素電極２１）は駆動ＴＦＴ３１ｂに接続される。一方、各発光素子２０の陰極は接地電位に接続され、全サブ画素の発光素子２０のカソードは共通の電極（すなわち対向電極２３）で構成される。なお、画素回路３１は図５に示す例に限られず、種々の変更がなされてよい。
【００２９】
図４に示すように、回路層３０の上側には絶縁層１１が形成されている。そして、この絶縁層１１の上側に上述した画素電極２１が形成されている。画素電極２１と画素回路３１（より具体的には、上述した駆動ＴＦＴ３１ｂ）は、絶縁層１１に形成されているスルーホール（不図示）を介して互いに接続されている。
【００３０】
［バリア層］
図４に示すように、画素電極２１、有機層２２、及び対向電極２３は、バリア層４０によって覆われている。バリア層４０は、有機層２２に水分が浸透するのを防止するための層である。表示装置１の例において、バリア層４０は、第１無機バリア層４１と、有機バリア層４２と、第２無機バリア層４３とを有している。各無機バリア層４１、４３は、無機材料（例えば、窒化ケイ素や酸化ケイ素など）で形成される１又は複数の層である。有機バリア層４２は、例えばアクリル樹脂、ポリイミド樹脂、エポキシ樹脂などで形成される。有機バリア層４２の厚さは、無機バリア層４１と無機バリア層４３のそれぞれよりも大きな厚さを有している。バリア層４０の構造は、表示装置１の例に限られない。例えば、バリア層４０は、第２無機バリア層４３の上側に形成される有機バリア層と、さらにこの有機バリア層の上側に形成される第３無機バリア層とを含んでもよい。
【００３１】
［タッチセンサ］
図１に示すように、表示装置１は、タッチセンサを構成する検出電極５１ｘ、５１ｙを有している。タッチセンサは、Ｘ方向に伸びている複数の第１検出電極５１ｘと、Ｙ方向に伸びている複数の第２検出電極５１ｙとを有している（図１では、１つの第１検出電極５１ｘと１つの第２検出電極５１ｙだけが例示され、他の検出電極５１ｘ、５１ｙは省略されている。）。各第１検出電極５１ｘはＸ方向で並んでいる複数の電極本体５１ａを有している。また、各第２検出電極５１ｙはＹ方向で並んでいる複数の電極本体５１ａを有している。検出電極５１ｘ、５１ｙの電極本体５１ａは矩形であるが、その形状は矩形に限られない。電極本体５１ａは、複数のサブ画素に亘って形成されている。すなわち、電極本体５１ａの外縁の内側に複数のサブ画素が存在している。（以下では、２種類の検出電極を区別しない説明では、検出電極について符号５１を用いる。）なお、当該検出電極を、タッチセンサの配線と呼称する場合も有る。
【００３２】
図２に示すように、各検出電極５１は、隣り合う２つの電極本体５１ａを連結する連結部５１ｂを有している。第２検出電極５１ｙの連結部５１ｂは、第１検出電極５１の連結部５１ｂと交差している。一例では、第１検出電極５１ｘの電極本体５１ａと第２検出電極５１ｙの電極本体５１ａは、同じ層に形成される。この場合、第２検出電極５１ｙの連結部５１ｂと、第１検出電極５１の連結部５１ｂのうち一方は、電極本体５１ａと同じ層に形成され、他方の連結部５１ｂは電極本体５１ａとは異なる層に形成される。
【００３３】
表示装置１のタッチセンサは、所謂オンセルタイプである。すなわち、検出電極５１（より具体的には、電極本体５１ａ）はバリア層４０の上側に形成され、バリア層４０に固定されている。詳細には、検出電極５１はバリア層４０上に直接形成されている。バリア層４０と検出電極５１との間に別の層が形成され、検出電極５１はこの別の層を介してバリア層４０に固定されてもよい。なお、表示装置１は基板１０と対向する対向基板（不図示）を有し、基板１０と対向基板との間に充填剤が配置されてもよい。この場合、検出電極５１は充填剤とバリア層４０との間に形成される。また、表示装置１はそのような対向基板を有することなく、その表面を構成する樹脂製の保護層を有してもよい。この場合、検出電極５１はその保護層とバリア層４０との間に形成される。
【００３４】
表示装置１の例とは異なり、第１検出電極５１ｘは第２検出電極５１ｙとは異なる層に形成されてもよい。例えば、第１検出電極５１ｘはバリア層４０の上側に形成され、第１検出電極５１ｘの上側に絶縁層が形成され、この絶縁層の上側に第２検出電極５１ｙが形成されてもよい。
【００３５】
検出電極５１は不透明な導電材料で形成されている。具体的には、検出電極５１は金属で形成されている。こうすることによって、検出電極５１の材料としてＩＴＯなどの透明導電材料を用いる場合に比して、検出電極５１の電気抵抗を低減できる。検出電極５１は複数の層を有してもよい。例えば、検出電極５１は、例えば、チタン層（１番目の層）、アルミニウム層（２番目の層）、及びチタン層（３番目の層）を含む。これに替えて、検出電極５１は、例えば、モリブデン層（１番目の層）、アルミニウム層（２番目の層）、及びモリブデン層（３番目の層）を有してもよい。検出電極５１の材料は、これらの例に限られない。
【００３６】
［領域間導体部］
上述したように、各サブ画素には発光領域Ｅが設けられている。図３及び図４に示すように、検出電極５１（電極本体５１ａ及び連結部５１ｂ）は、隣り合う２つの発光領域Ｅの間に位置する部分５１ｍを有している（以下では、この部分５１ｍを「領域間導体部」と称する。）。すなわち、Ｙ方向において並ぶ２つのサブ画素の間や、Ｘ方向において並ぶ２つのサブ画素の間、斜めの方向で並ぶ２つのサブ画素の間に、領域間導体部５１ｍは形成されている。図３では、例えば、Ｙ方向において並ぶ赤画素ＰＲと緑画素ＰＧの間や、Ｘ方向において並ぶ青画素ＰＢと赤画素ＰＲとの間、斜めの方向で並ぶ青画素ＰＢと緑画素ＰＧの間に、領域間導体部５１ｍは形成されている。
【００３７】
領域間導体部５１ｍの幅は、領域間導体部５１ｍを間に有する2つの発光領域Ｅの外縁の間の距離（以下では、「領域間距離」と称する。）に応じて定められている。すなわち、領域間距離が大きくなるに従って、そこに形成されている領域間導体部５１ｍの幅は大きくなっている。ここで、領域間導体部５１ｍの幅とは、隣り合う２つの発光領域Ｅの外縁を最短距離で結ぶ直線に沿った方向での幅である。
【００３８】
例えば、図３で示されるＹ方向に並んでいる緑画素ＰＧ１及び赤画素ＰＲ１と、Ｙ方向で並んでいる２つの青画素ＰＢ１、ＰＢ２とに注目する。緑画素ＰＧ１の発光領域Ｅの外縁と赤画素ＰＲ１の発光領域Ｅの外縁との間には、領域間距離Ｌ１がある。２つの青画素ＰＢ１、ＰＢ２の発光領域Ｅの外縁の間には、領域間距離Ｌ２がある。領域間距離Ｌ１は領域間距離Ｌ２よりも大きい。そして、緑画素ＰＧの発光領域Ｅと赤画素ＰＲの発光領域Ｅとの間の領域間導体部５１ｍの幅は、青画素ＰＲ１の発光領域Ｅと、青画素ＰＢ２の発光領域Ｅとの間の領域間導体部５１ｍの幅よりも大きい。このことは、図３に示すＹ方向に並んでいる他のサブ画素間に形成されている領域間導体部５１ｍについても同様である。また、Ｘ方向で並んでいるサブ画素間についても同様である。
【００３９】
領域間導体部５１ｍをこのように形成することによって、検出電極５１の面積を増すことができる。その結果、例えば隣り合う２つの発光領域の間に、一定の幅を有する線状の領域間導体部を形成する構造に比して、検出電極の電気抵抗を低減できる。
【００４０】
上述したように、画素電極２１の間にはバンク層２９が形成されている。図４に示すように、バンク層２９は隣り合う２つの画素電極２１の間に位置するバンク中間部２９ａを有している。領域間導体部５１ｍの幅は、バンク中間部２９ａの幅に対応している。
【００４１】
［電極開口］
図３及び図４に示すように、検出電極５１（電極本体５１ａ及び連結部５１ｂ）は、発光領域Ｅの上方に形成されている電極開口Ｆを、各サブ画素に有している。電極開口Ｆの内縁は、表示装置１の平面視において、発光領域Ｅの外縁を取り囲んでいる。また、電極開口Ｆの内縁は発光領域Ｅの外縁から離れており、発光領域Ｅの外縁と電極開口Ｆの内縁との間には間隔が設けられている（以下では、この間隔を「内外縁間隔」と称する）。具体的には、緑画素ＰＧには、Ｙ方向での内外縁間隔ＭＧｙと、Ｘ方向での内外縁間隔ＭＧｘとが確保されている。また、赤画素ＰＲには、Ｙ方向での内外縁間隔ＭＲｙと、Ｘ方向での内外縁間隔ＭＲｘとが確保されている。さらに、青画素ＰＢには、Ｙ方向での内外縁間隔ＭＢｙと、Ｘ方向での内外縁間隔ＭＢｘとが確保されている。発光領域Ｅ（発光層）の光は電極開口Ｆを通して表示装置１から外に出る。内外縁間隔があるので、発光領域Ｅの光は表示装置１から斜めの方向にも出ることができる。
【００４２】
［色ずれの防止］
上述したように、領域間導体部５１ｍの幅は、領域間導体部５１ｍを間に有する２つの発光領域Ｅの外縁の間の距離に応じて定められている。このように領域間導体部５１ｍの幅が領域間距離に応じて定められているので、内外縁間隔ＭＧｙ、ＭＲｙ、ＭＢｙ、ＭＧｘ、ＭＲｘ、ＭＢｘの差が小さくなる。表示装置１の例では、Ｙ方向での３つの内外縁間隔ＭＧｙ、ＭＲｙ、ＭＢｙは実質的に同じである。Ｘ方向での３つの内外縁間隔ＭＧｘ、ＭＲｘ、ＭＢｘも実質的に同じである。領域間導体部５１ｍの幅と内外縁間隔を、このように設定することによって、画像の色ずれの発生を抑えることができる。
【００４３】
図７は色ずれの発生を説明するための断面図であり、切断面は図４と同様である。この図では、表示装置１とは異なり、隣り合う２つの発光領域Ｅの間に、線状の導体（幅が均一の導体）５９ａがタッチセンサの検出電極の一部として形成されている。導体５９ａから発光領域Ｅまでの距離（間隔Ｍ１、Ｍ２）は、サブ画素によって異なっている。具体的には、赤画素ＰＲの発光領域Ｅ（発光層）と検出電極の線状の導体５９ａとの間の平面視での間隔Ｍ１は、緑画素ＰＧの発光領域Ｅ（発光層）と線状の導体５９ａとの間隔Ｍ２よりも小さい。このため、緑画素ＰＧの発光層から斜めに出た光ＬＧは導体５９ａに当たることなく表示装置から出るのに対して、赤画素ＰＲの発光層から同じ方向に出た光ＬＲは導体５９ａに当たっている。この場合、利用者がこの方向で表示装置を見たときには、本来の画像よりも緑が濃い画像が表示されることとなり、これが色ずれとなる。また、図７の例では、間隔Ｍ１、Ｍ２の差が大きいので、表示装置を見る方向が少し傾斜しただけで、このような色ずれが生じる。
【００４４】
これに対して、表示装置１においては、図４に示すように、緑画素ＰＧの内外縁間隔ＭＧｙと赤画素ＰＲの内外縁間隔ＭＲｙの差が小さい。具体的には、緑画素ＰＧの内外縁間隔ＭＧｙと赤画素ＰＲの内外縁間隔ＭＲｙは実質的に同じである。そのため、赤画素ＰＲと緑画素ＰＧの発光層から斜めの方向に出る光ＬＲ、ＬＧのうち一方だけが検出電極５１に当たること、すなわち、色ずれの発生を、抑えることができる。
【００４５】
なお、本明細書において「内外縁間隔ＭＧｙ、ＭＲｙ、ＭＢｙが実質的に同じである」とは、１つの内外縁間隔（例えば、中間の大きさの内外縁間隔）の±２０％の範囲に、残り２つの内外縁間隔が規定されていることを意味する。「内外縁間隔ＭＧｙ、ＭＲｙ、ＭＢｙが実質的に同じである」とは、望ましくは、１つの内外縁間隔（例えば、中間の大きさの内外縁間隔）の±１０％の範囲に残り２つの内外縁間隔が規定されることを意味してもよい。同様に、「内外縁間隔ＭＧｘ、ＭＲｘ、ＭＢｘが実質的に同じである」とは、１つの内外縁間隔（例えば、中間の大きさの内外縁間隔）の±２０％の範囲に、残り２つの内外縁間隔があることを意味する。「内外縁間隔ＭＧｘ、ＭＲｘ、ＭＢｘが実質的に同じである」とは、望ましくは、１つの内外縁間隔（例えば、中間の大きさの内外縁間隔）の±１０％の範囲に、残り２つの内外縁間隔があることを意味してもよい。
【００４６】
なお、表示領域Ａ１には複数の画素Ｐｕｎｉが形成されている。そのため、「内外縁間隔ＭＧｙ、ＭＲｙ、ＭＢｙが実質的に同じである」は、「複数の緑画素ＰＧの内外縁間隔ＭＧｙの平均と、複数の赤画素ＰＲの内外縁間隔ＭＲｙの平均と、複数の緑画素ＰＢの内外縁間隔ＭＢｙの平均が、実質的に同じである」を意味してよい。同様に、「内外縁間隔ＭＧｘ、ＭＲｘ、ＭＢｘが実質的に同じである」は、「複数の緑画素ＰＧの内外縁間隔ＭＧｘの平均と、複数の赤画素ＰＲの内外縁間隔ＭＲｘの平均と、複数の緑画素ＰＢの内外縁間隔ＭＢｘの平均が、実質的に同じである」を意味してもよい。
【００４７】
３つの内外縁間隔ＭＧｙ、ＭＲｙ、ＭＢｙの全てが実質的に同じでなくてもよい。すなわち、２つの内外縁間隔だけが実質的に同じで、残りの１つの内外縁間隔は他の２つの内外縁間隔とは異なっていてもよい。同様に、３つの内外縁間隔ＭＧｘ、ＭＲｘ、ＭＢｘの全てが実質的に同じでなくてもよい。すなわち、２つの内外縁間隔だけが実質的に同じで、残りの１つの内外縁間隔は他の２つの内外縁間隔とは異なっていてもよい。
【００４８】
また、１つの画素Ｐｕｎｉには互いに色が異なる４つのサブ画素が設けられてもよい。この場合、２つのサブ画素について規定された内外縁間隔が同じでもよいし、３つのサブ画素について規定された内外縁間隔が同じであってもよい。
【００４９】
表示装置１の例では、Ｙ方向での内外縁間隔ＭＧｙ、ＭＲｙ、ＭＢｙと、Ｘ方向での内外縁間隔ＭＧｘ、ＭＲｘ、ＭＢｘも実質的に同じである。表示装置１とは異なり、Ｙ方向での内外縁間隔ＭＧｙ、ＭＲｙ、ＭＢｙは、Ｘ方向での内外縁間隔ＭＧｘ、ＭＲｘ、ＭＢｘとは異なっていてもよい。この場合でも、例えば斜めＹ方向で表示装置１を見たときに、青画素ＰＢ、赤画素ＰＲ、及び緑画素ＰＧの発光層からの光のうち一部の光（例えば、緑色の光）だけが検出電極にあたることは防止されるので、色ずれの発生を抑えることができる。同様に、例えば斜めＸ方向で表示装置１を見たときにも、青画素ＰＢ、赤画素ＰＲ、及び緑画素ＰＧの発光層からの光のうち一部の光だけが検出電極にあたることは防止されるので、色ずれの発生を抑えることができる。
【００５０】
このように、表示装置１の例では、内外縁間隔ＭＧｙ、ＭＲｙ、ＭＢｙが実質的に同じであり、内外縁間隔ＭＧｘ、ＭＲｘ、ＭＢｘが実質的に同じであるので、電極開口Ｆは発光領域Ｅに対応した形状を有する。すなわち、図３で示す例では、発光領域Ｅはいずれも矩形であるので、電極開口Ｆも矩形である。図３に示すように、電極開口Ｆの内縁の角部は湾曲していてもよい。なお、発光領域Ｅの形状は矩形に限られない。例えば、発光色の異なる２つの発光領域Ｅは形状が異なっていてもよい。例えば、緑画素ＰＧの発光領域Ｅが円形（或いは楕円形）に形成され、青画素ＰＢの発光領域Ｅは矩形であってもよい。この場合、緑画素ＰＧの電極開口Ｆは円形（或いは楕円形）に形成され、青画素ＰＢの電極開口Ｆは矩形であってもよい。
【００５１】
このように、各サブ画素の内外縁間隔ＭＧｙ、ＭＲｙ、ＭＢｙ、ＭＧｘ、ＭＲｘ、ＭＢｘは、そのサブ画素の発光領域Ｅの外縁と、隣接するサブ画素の発光領域Ｅの外縁との距離（領域間距離）に依存することなく定められている。これによって、色の異なる複数のサブ画素間で内外縁間隔Ｍの差が小さくり、その結果、色ずれの発生を軽減できる。（以下では、６つの内外縁間隔ＭＧｙ、ＭＲｙ、ＭＢｙ、ＭＧｘ、ＭＲｘ、ＭＢｘを区別しない説明では、内外縁間隔について符号「Ｍ」を用いる。）したがって、３つの内外縁間隔ＭＧｙ、ＭＲｙ、ＭＢｙの差が小さければ、内外縁間隔ＭＧｙ、ＭＲｙ、ＭＢｙは必ずしも同じでなくてもよい。同様に、内外縁間隔ＭＧｘ、ＭＲｘ、ＭＢｘの差が小さければ、内外縁間隔ＭＧｘ、ＭＲｘ、ＭＢｘは必ずしも同じでなくてもよい。
【００５２】
ここで、「サブ画素の内外縁間隔がそのサブ画素の領域間距離（隣の発光領域の外縁までの距離）に依存していない」は、複数のサブ画素を比較したときに、領域間距離が増大しても、内外縁間隔Ｍが領域間距離と同じ割合では増大しないことを意味する。図３を参照しながら説明する。図３において、１番上に位置している緑画素ＰＧ（図３において符号ＰＧ１）と、１番上に位置している青画素ＰＢ（図３において符号ＰＢ１）とに注目する。緑画素ＰＧ１の発光領域Ｅは、この発光領域Ｅに対してＹ方向に位置している発光領域Ｅの外縁との間に領域間距離Ｌ１を有している。青画素ＰＢ１の発光領域Ｅは、この発光領域Ｅに対してＹ方向に位置している発光領域Ｅの外縁との間に領域間距離Ｌ２を有している。領域間距離Ｌ１は領域間距離Ｌ２よりも大きい。これに対して、緑画素ＰＧの内外縁間隔ＭＧｙと青画素ＰＢの内外縁間隔ＭＢｙとの間に差があったとしても、その差は小さい。そのため、領域間距離Ｌ１に対する内外縁間隔ＭＧｙの比（ＭＧｙ／Ｌ１）は、領域間距離Ｌ２に対する内外縁間隔ＭＢｙの比（ＭＢｙ／Ｌ２）よりも小さい。つまり、サブ画素（ＰＢ、ＰＲ）を比較したときに、内外縁間隔は領域間距離と同じ割合では増大していない。このように、領域間距離に依存することなく内外縁間隔Ｍを定めることによって、色の異なる複数のサブ画素間で内外縁間隔の差を小さくできる。
【００５３】
また、表示装置１では、サブ画素の内外縁間隔Ｍは、サブ画素の幅にも依存していない。すなわち、サブ画素のＹ方向での内外縁間隔Ｍは、Ｙ方向でのサブ画素の幅に依存していない。同様に、サブ画素のＸ方向での内外縁間隔Ｍは、Ｘ方向でのサブ画素の幅に依存していない。ここで、「サブ画素の内外縁間隔Ｍは、サブ画素の幅に依存していない」とは、複数のサブ画素を比較したときに、サブ画素の幅が増大しても、内外縁間隔Ｍがサブ画素の幅ほどには増大しないことを意味する。
【００５４】
［変形例］
本発明は、以上説明した表示装置１に限られず、種々の変更がなされてよい。例えば、複数のサブ画素の配置は、図３の例に限られない。図６Ａ乃至図６Ｃはサブ画素の配置の変形例を示している。
【００５５】
図３の例では、１つの画素Ｐｕｎｉに２つの青画素ＰＢが設けられていた。図６Ａに示すように、画素Ｐｕｎｉに設けられる青画素ＰＢの数は１つでもよい。この図の例では、青画素ＰＢは他のサブ画素ＰＲ、ＰＧよりも大きなサイズを有している。各サブ画素ＰＢ、ＰＲ、ＰＧは、発光領域Ｅの外縁と電極開口Ｆの内縁との間に内外縁間隔ＭＧｙ、ＭＲｙ、ＭＢｙ、ＭＧｘ、ＭＲｘ、ＭＢｘを有している。間隔ＭＧｙ、ＭＲｙ、ＭＢｙ、ＭＧｘ、ＭＲｘ、ＭＢｘは、図３の例と同様に、実質的に同じである。また、図６Ａの例においても、領域間導体部５１ｍの幅は、領域間導体部５１ｍを間に有する2つの発光領域Ｅの外縁の間の距離（領域間距離）に応じて定められている。
【００５６】
図３及び図６Ａの例では、発光領域Ｅはいずれも矩形であったが、発光領域Ｅの形状は矩形に限られない。例えば、図６Ｂで示すように、発光領域Ｅは円形でもよい。この場合、電極開口Ｆも円形であり、その内縁は発光領域Ｅの外縁を取り囲んでいる。この図の例では、画素Ｐｕｎｉに、２つの赤画素ＰＲと２つの緑画素ＰＧと、１つの青画素ＰＢとが設けられている。この図の例でも、サブ画素ＰＢ、ＰＲ、ＰＧは、発光領域Ｅの外縁と電極開口Ｆの内縁との間に内外縁間隔ＭＲ、ＭＢ、ＭＧを有している。内外縁間隔ＭＲ、ＭＢ、ＭＧは、図３の例と同様、実質的に同じである。また、図６Ｂの例においても、領域間導体部５１ｍの幅は、2つの発光領域Ｅの外縁の間の距離（図６ＢにおいてＬ５、Ｌ６等）に応じて定められている。すなわち、2つの発光領域Ｅの外縁の間の領域間距離が大きくなるに従って、その間の領域間導体部５１ｍの幅は大きくなっている。
【００５７】
図６Ｃはさらに別の変形例である。この図の例では、発光領域Ｅの形状が、その発光色によって異なっている。具体的には、青画素ＰＢと赤画素ＰＲの発光領域Ｅは矩形である。これに対して、緑画素ＰＧの発光領域Ｅは円形である。この図の例でも、サブ画素ＰＢ、ＰＲ、ＰＧは内外縁間隔ＭＢ、ＭＲ、ＭＧを有している。内外縁間隔ＭＢ、ＭＲ、ＭＧは、図３の例と同様に、実質的に同じである。また、図６Ｃの例においても、領域間導体部５１ｍの幅は領域間距離（図６ＣにおいてＬ７、Ｌ８等）に応じて定められている。すなわち、領域間距離が大きくなるに従って、そこに形成されている領域間導体部５１ｍの幅は大きくなっている。
【符号の説明】
【００５８】
Ｅ  発光領域、Ｆ  電極開口、Ｍ（ＭＧｙ、ＭＲｙ、ＭＢｙ、ＭＧｘ、ＭＲｘ、ＭＢｘ）  内外縁間隔、１０  基板、１１  絶縁層、２０  発光素子、２１  画素電極、２２  有機層（発光層）、２３  対向電極、２９  バンク層、２９ａ  バンク中間部、３０  回路層、３１  画素回路、３１Ｂ  走査信号線、３１Ｃ  映像信号線、３１Ｄ  駆動電源線、３１ｃ  キャパシタ、４０  バリア層、４１  第１無機バリア層、４２  有機バリア層、４３  第２無機バリア層、５１（５１ｘ、５１ｙ）  検出電極、５１ａ  電極本体、５１ｂ  連結部。
【図１】
2019159355.tif 000003
【図２】
2019159355.tif 000004
【図３】
2019159355.tif 000005
【図４】
2019159355.tif 000006
【図５】
2019159355.tif 000007
【図６Ａ】
2019159355.tif 000008
【図６Ｂ】
2019159355.tif 000009
【図６Ｃ】
2019159355.tif 000010
【図７】
2019159355.tif 000011